(57)【特許請求の範囲】
【請求項１】
放射線源および該放射線源から離間された放射線検出器システムを設けてその間に走査領域を画定する工程と、
検査対象を走査領域に配置し、前記線源から放射線で照射し、検出器システムにおいて、前記検査対象から生じる放射線の強度データを収集する工程と、
複数のエネルギーバンドのセット間で、前記強度データをスペクトル分解する工程と、
前記スペクトル分解された強度データを数値的に処理する工程を含み、この数値的処理工程は、
材料減衰係数を、前記複数のエネルギーバンドのセットにわたるエネルギー依存係数のセットを有する複数のエネルギー依存の多項式のセットとみなす工程と、
前記各エネルギーバンドにおいて測定される減衰を特定する工程と、
前記減衰から、複数の次数の重み付けされた原子番号のべき乗を含む複合陽子数セットを計算する工程と、
前記複合陽子数セットを、物体の含有物質を識別する目的に使用可能にする工程とを含む、物体から放射線の相互作用データを得る方法。
【請求項２】
前記線源がＸ線源であり、前記検出システムは複数のエネルギーバンドのセット間のＸ線の検出および分解に対応するよう適合させた、請求項１に記載の方法。
【請求項３】
入射スペクトルの少なくとも一部にわたって分光学的に可変の応答を示す検出器システムが設けられ、これにより分光情報を読み出すことができ、かつ複数の差異化されたエネルギーバンドにて強度情報を同時に検出することができる、請求項１または２のいずれか一に記載の方法。
【請求項４】
少なくとも３つのエネルギーバンド間で、発生強度データが同時にスペクトル分解される、請求項１〜３のいずれか一に記載の方法。
【請求項５】
入射スペクトル内の３つ以上のエネルギーレベルを区別するよう本質的に適合させた、少なくとも１つのマルチスペクトル検出器を備える検出器システムが設けられた、請求項４に記載の方法。
【請求項６】
材料減衰係数を、前記複数のエネルギーバンドのセットにわたるエネルギー依存係数のセットを有する複数のエネルギー依存の多項式のセットとみなす前記工程が、数値的関係を規定する工程を含み、該数値的関係は、前記複数のエネルギーバンドのセットにわたるエネルギー依存係数のセットを有するこのような複数のエネルギー依存の多項式のセットをそなえる、請求項１〜５のいずれか一に記載の方法。
【請求項７】
以下の一般形の式を用いた、請求項６に記載の方法。
【数１】
0005981545.tif 000023
【請求項８】
前記多項式について、少なくとも２つのより高い次数を分解する工程を含む、請求項１〜７のいずれか一に記載の方法。
【請求項９】
様々な特定の標的物質の既知の複合陽子数セットのライブラリデータベースを用意し、検査中の物体について測定および導出された複合陽子数セットを、このようなデータベースと比較する工程を含む、請求項１〜８のいずれか一に記載の方法。
【請求項１０】
前記検査対象から生じる放射線についての強度データを検出器システムで収集する前記工程が、透過強度データを収集する工程を含み、前記数値的処理工程が、前記強度データから透過強度の減衰に関する減衰係数を特定する工程を含む、請求項１〜９のいずれか一に記載の方法。
【請求項１１】
少なくとも２次および３次の複合陽子数セットが収集される、請求項１〜１０のいずれか一に記載の方法。
【請求項１２】
前記２次および３次の複合陽子数セットがそれぞれ
【数２】
0005981545.tif 000024
の関係により減衰係数から導出される、請求項１１に記載の方法。
【請求項１３】
適当なコンピュータに格納されるとき、請求項１〜１２のいずれか一に記載の方法の、１つまたは複数の工程をコンピュータに行わせるプログラム命令を有する、少なくとも１つのコンピュータプログラム。
【請求項１４】
コンピュータ可読記録媒体または読み取り専用メモリ上で実施され、コンピュータのメモリに格納され、例えば分散型ネットワークを介してコンピュータからアクセス可能なリモートメモリに格納され、または適当な搬送波信号で伝送される、請求項１３に記載の少なくとも１つのコンピュータプログラム。
【発明の詳細な説明】
【技術分野】
【０００１】
本発明は、特にＸ線を用いて物体を放射線検査する方法に関し、このような放射線検査で検出された放射線データを処理する方法に関する。
【０００２】
本発明は、特に、ある実施形態においては質量厚さを表すデータを含み、ある実施形態においては本明細書において複合陽子数セットと呼ぶ、複数の次数の重み付けされた原子番号を表すデータを含む、化合物特有のパラメータセットの生成に関する。不定形では、このような番号は化合物の組成を同定し、化合物の組成に依存する。本発明は、特定の実施形態において、物質識別方法として、複数のエネルギーで測定されるＸ線測定を用いて、多次元、好ましくは高次元の複合陽子数セットを計算する方法を含む。
【０００３】
本発明は、特に検査対象中の特定の標的物質、例えば、安全に対する脅威、関税法規の違反等を示しうる物質の存在の検知、および／またはかかる物質の分類もしくは識別を容易にしうる。
【０００４】
本発明は特に、大きな直接バンドギャップを有する半導体材料、例えばバルク単結晶として形成されうる、テルル化カドミウム（ＣｄＴｅ）、テルル化カドミウム亜鉛（ＣＺＴ）、テルル化カドミウムマンガン（ＣＭＴ）等のＩＩ−ＶＩ族半導体材料を備える、半導体検出装置を用いる方法および装置に関しうる。ただし、特定の階級の検出器に限定されるものではない。
【背景技術】
【０００５】
手荷物検査および税関検問所において、物体の内容物をスキャンし、内容物についての情報を取得すること、例えば物体の内容物が安全に対する脅威または関税法規の違反とならないという指標を得ることが望ましい。また、品質管理、内容物検査、劣化監視などの他の目的のために物体の内容物をスキャンすることも望ましい。
【０００６】
この点において有用な情報を、検査における物体との相互作用の後に検出器で受信される放射線のスペクトル分析により、例えば、適当な高エネルギー電磁放射線源から物体をスキャンし、物体との相互作用の後に適当な検出器で発生した放射線を収集し、発生した放射線を、例えば参照データに対し分光処理することにより、物体の組成についての結論を導き出しうることが知られている。
【０００７】
ランベルト・ベールの法則によると、エネルギーＥ、強度Ｉ０で厚さｔ（ｃｍ）の物質に入射する光子ビームについて、生じる強度は以下のとおりとなる。
【数１】
0005981545.tif 000002
式中、μは線減衰係数であり、単位伝搬距離当たりの相互作用の確率とする。単位はｃｍ−１である。多くの場合、線減衰係数（μ）を材料密度（ρ）で除した質量減衰係数とともに用いることが好ましい。したがって、質量減衰係数（μ／ρ）の単位はｇ−１ｃｍ２である。質量減衰係数は、Ｘ線物理学においては一般的に記号αでも表されるが、同じくこの記号で表される微細構造定数と混同しないようにされたい。本明細書で使用するとき、αは特に指定がない限り、質量減衰係数を指す。したがって、質量減衰係数に関してランベルト・ベールの法則は以下のように表される。
【数２】
0005981545.tif 000003
（ここで、密度と距離の積（ρｔ）を、質量厚さｘとする。）
【０００８】
Ｘ線は物質と様々な形で相互作用し、ビームを減衰させうる。相互作用の最も重要な３つの方法は、以下のとおりである。
・コンプトン散乱
・光電効果
・電子対生成
他の効果、例えばトムソン散乱の果たす役割は小さいものである。しかし、そのプロセスのいずれが影響を及ぼすかは、媒体の質量吸収特性に依存し、また同様に光子のエネルギーに依存する。
【０００９】
これらのプロセスのいずれが影響を及ぼすかは、図１に模式的に示す、標的の質量吸収特性（原子番号Ｚに直接関係する）およびＸ線のエネルギーに依存する。
【００１０】
低エネルギーでは、光電効果が線吸収係数（μλ）に影響を及ぼす傾向があり、光子エネルギーが上昇すると、１０２２ｋｅＶを超えるエネルギーで影響を及ぼす電子対生成が起こるまでは、コンプトン効果が優位になる。Ｘ線用途は一般的に数百ｋｅＶまでのＸ線を使用するため、電子対生成は起こらず、ビームの減衰は主に他の２つの効果の組み合わせにより生ずる。
【００１１】
ある元素からの減衰を正確に表す試みがいくつかなされてきたが、そのすべては多くの仮定を含みうる実データの近似である。JacksonおよびHawkesによる最も広く受け入れられている文献の１つ（DF JacksonおよびDJ Hawkes、「X-ray attenuation coefficients of elements and mixtures」、Physics Reports 70 (3)、pp169-233 (1981)）は、線減衰係数を推定する以下の方法を提示している。
【数３】
0005981545.tif 000004
【００１２】
Jackson Hawkesの方法は、元素の原子番号を特定することについては正確であることが証明されているが、この手法は調査される混合物の組成の定量的情報に直接的には結びつかないため、限界がある。さらに、Ｚｅｆｆと呼ばれることが多い、物質を特徴付ける１つだけの実効原子番号の定義は、広いエネルギー範囲にわたって、または異なる原子番号の元素を含む混合物または集合体に対しては有効ではない。このため、複合物質を測定する際には不正確となり、この１つの特性において同様のものとして処理されうる化合物を区別することができない。この方法は、いくつかの放射線研究に有用な近似をもたらすが、その機能性は限られている。
【図面の簡単な説明】
【００１３】
【図１】優位な相互作用モードをエネルギーおよび原子番号の関数として表した模式図である。
【発明を実施するための形態】
【００１４】
本発明による最も全般的なコンセプトにおいて、物体から放射線の相互作用データを得る方法は、
放射線源および該放射線源から離間された放射線検出器システムを設けてその間に走査領域を画定する工程と、
検査対象を走査領域に配置し、線源からの放射線で照射し、検出器システムにおいて、検査対象から生じる放射線の強度データを収集する工程と、
放射線スペクトルにわたる複数のエネルギーバンドのセット間で、強度データをスペクトル分解する工程と、
スペクトル分解された強度データを数値的に処理する工程を含み、この数値的処理工程は、
材料減衰係数を、前記複数のエネルギーバンドのセットにわたるエネルギー依存係数のセットを有する複数のエネルギー依存の多項式のセットとみなす工程と、
前記各エネルギーバンドにおいて測定される減衰係数を特定する工程と、
１つまたは複数の次数の複合陽子数および／または有効質量厚さおよび／または密度、例えば、複数の次数の重み付けされた複合原子番号のべき乗、好ましくは複数のより高次の重み付けされた複合原子番号のべき乗を含む複合陽子数セットを、前記減衰係数から計算する工程と、
１つまたは複数の次数の複合陽子数および／または有効質量厚さおよび／または密度、例えば複合陽子数セットを、物体の含有物質を識別する目的に使用可能にする工程とを含む。
【００１５】
好ましくは、この方法は、１つまたは複数の次数の複合陽子数および／または有効質量厚さおよび／または密度のうち少なくとも２つ、例えば複合陽子数セットとしての少なくとも２つの次数の複合陽子数、を計算する工程を含む。
【００１６】
本明細書中に定義されるように、複合陽子数セットは複数の次数の重み付けされた複合原子番号を含む。不定形では、このような番号は化合物の組成を特定し、また化合物の組成に依存する。本発明は、物質識別方法として、複数のエネルギーで測定されるＸ線測定を用いて、多次元、好ましくは高次元の複合陽子数セットを計算する方法を含む。
【００１７】
本発明は、１つまたは複数の次数の複合陽子数および／または有効質量厚さおよび／または密度を計算する工程を含み、好ましい場合においては、定義されたような複合陽子数セットを計算する工程と、このようなデータを、物体の含有物質を識別する目的に使用可能にする工程とを含む。本明細書においてこうしたデータの使用を取り上げる場合、事情がそうではないことを必要とする場合を除いて、本発明は、一般的な場合における１つまたは複数の次数の複合陽子数および／または有効質量厚さおよび／または密度の使用に、また上述の好ましい場合においては、定義された少なくとも１つの複合陽子数セットの使用に適用可能であると考えられたい。
【００１８】
材料減衰係数を、複数のエネルギー依存の多項式のセットとみなす工程が、前記複数のエネルギーバンドのセットにわたるエネルギー依存係数のセットを有するこのような複数のエネルギー依存の多項式のセットを含む数値的関係を規定する工程、例えば、以下の一般形の式を用いる工程を含む。
【数４】
0005981545.tif 000005
ここで、この数式は、特には、複数のより高次のべき乗についてのものであり、例えば、少なくとも２次および３次のべき乗についてのものである。この一般形の複数のべき乗、特に複数のより高次のべき乗が好ましい。この一般形の複数のべき乗、特に複数のより高次のべき乗が好ましいが、本発明は単一の次数のＺを用いることを排除しない。
【００１９】
スペクトル分解された強度データ項目を数値的に処理して、質量厚さを表すデータ項目のさらに空間的に分解されたデータセットを特定する工程が、複合陽子数セットを収集するプロセス中に含まれてもよい。
【００２０】
放射線源は、電離放射線などの高エネルギー放射線、例えばＸ線などの高エネルギー電磁放射線および／またはガンマ線、または亜原子粒子線を放出する、１つまたは複数の線源を備えることが好ましく、検出システムは、このスペクトルの放射線の検出に対応するよう適合させる。放射線源は、例えば、広範なエネルギー領域にわたる広域スペクトル放射線を発生させることが可能な広帯域Ｘ線源またはガンマ線源などの広帯域線源である。さらに、またはあるいは、複合線源を用いて、このような広範なエネルギー領域にわたる広域スペクトル放射線を発生させてもよい。線源は、検査中の物体を十分広いスペクトルにわたり照射することが可能であり、これにより発生強度データを、後のデータ処理工程に必要な複数の強度ビンに分解しやすくする。
【００２１】
本発明は、デュアルおよび／またはマルチスペクトルの技術ならびにシステムに適用され、少なくとも２つのエネルギーバンド、より好ましくは少なくとも３つのエネルギーバンド間で、発生強度データが同時および／または連続的にスペクトル分解される。好ましくは、データ収集工程において、線源のスペクトルにわたる少なくとも２つのエネルギーバンド、さらに好ましくは少なくとも３つのエネルギーバンド間で、強度データ項目を同時および／または連続的にスペクトル分解する。デュアル／マルチスペクトル技術は、特に本方法の数値的処理工程が作用することができ、物体の組成に特有のデータを提供する上で、より詳細な情報をもたらす。マルチスペクトル技術は、このような解析技術に適合することが理想的であるが、このような技術を変更して、例えばデュアルエネルギー検出システムに適用可能であることは当業者にとって明白である。
【００２２】
本発明の方法は、複雑な、多元素化合物に特有の減衰に対応し、減衰係数を、エネルギー依存係数のセットを有するエネルギー依存の高次多項式のセットとして扱う。エネルギーレベルの数を測定するため、より高次の原子番号を数式に含むことが可能である。係数を正確に測定することができると、原子番号の複数のべき乗、特により高次のべき乗（本明細書において複合陽子数と呼んできた）に対するこれらの係数のフィッティングを計算することができ、物質の識別を可能にする複合陽子数セットを生成することができる。フィッティング技術と同様、フィッティングの正確性は、独立した評価基準の数とともに高くなる。デュアルエネルギー技術の場合、広いエネルギーバンドにわたる２つの測定のみが、フィッティングに使用可能である。このため、マルチスペクトル検出法を用いてより多くのデータ点を収集することによりこの方法の正確性が高くなる。
【００２３】
元素における吸収によって、各元素について原子番号の関数、すなわち単一値の複合陽子数セットを計算することができる。複数元素の化合物は、重み付けされた原子番号の、より高次の多項式に依存する、より複雑な減衰を示し、また化合物はそれぞれ、複合陽子数セットを有する。複合陽子数のある範囲でのべき乗（または次数）の解を計算すると、複合陽子数の値は、各べき乗で異なり（以下に式１３〜１５で示されるように）、これは元素の場合と相違する。デュアルエネルギー技術の場合と異なり、マルチスペクトル技術により複数のフィッティングパラメータが許容されることで、複合陽子数を様々な次数について計算することが可能となる。このため、複合陽子数セット全体についてより多くの情報が得られ、それ故、よりよく物質を識別可能になる。
【００２４】
本発明の好適な場合には、材料減衰係数を、前記複数のエネルギーバンドのセットにわたるエネルギー依存係数のセットを有する複数のエネルギー依存の多項式のセットとみなす工程において、多項式について少なくとも２つの次数、例えば少なくとも２つのより高い次数を分解する。
【００２５】
本発明の好適な場合において、そこから複数の次数の原子番号のべき乗を計算する工程において、少なくとも２つのより高次のべき乗、例えば少なくとも２次および３次のべき乗を計算する。
【００２６】
本発明は、少なくとも２つのエネルギーバンド、より好ましくは少なくとも３つのエネルギーバンド間で発生強度データが同時および／または連続的にスペクトル分解されるデュアルおよび／またはマルチスペクトルの技術およびシステムに適用される。
【００２７】
本発明の要点は、収集される強度データが、入射スペクトルにわたる複数の、好ましくは少なくとも３つ、さらに好ましくはより多くのエネルギーバンド間でスペクトル分解されることである。この分解を用いて、１つまたは複数の次数の複合陽子数および／または有効質量厚さおよび／または密度、例えば上述の複合陽子数セットを特定する。
【００２８】
これを実現するためには、発生強度データを後のデータ処理工程に必要な複数の強度バンドに分解しやすくするのに十分なスペクトル幅／エネルギー範囲にわたり、所定の入射放射線スペクトルが必要である。この一般的な必要条件で、これらのようなエネルギーバンドは、広くてもよいし、単一エネルギーとなるほど狭くてもよいし、近接していても離間していてもよく、１つまたは複数の適当な線源のスペクトルの一部または全部を合わせて包含してもよい。
【００２９】
線源と検出器の適切な組合せによって、スペクトル分解された強度データセットがどのようにして生成されるかは、本発明に特に関係しない。
【００３０】
１つまたは複数の放射線源を用いて、所望の幅の所定の入射放射線スペクトルを、全幅同時にまたは部分毎に順次生成してもよい。
【００３１】
得られた所望幅の所定の入射放射線スペクトルは、同時に複数のエネルギーバンドに分解してもよい。というのは、例えば、検出器システムが好ましくは、分光情報を読み出すことができ、かつ線源のスペクトルにわたる複数の、例えば少なくとも３つの、差異化されたエネルギーバンドにて強度情報を同時に検出することができる、線源スペクトルの少なくとも一部にわたって分光的に可変の応答を示すからである。
【００３２】
検出器システムは、異なるエネルギーに校正された複数の検出器を設けるか、または目的の分光応答を示すという点において本質的にスペクトル分解を生ずるよう適合させた少なくとも１つの検出器を設けることにより、適合させてもよい。特に、このような検出器は、目的の材料特性として、本質的に、線源スペクトルの異なる部分に対し、目的の電気的、例えば光電的に可変の応答を示すよう選択された材料から作製される。このような検出器は、入射スペクトル内の２つのエネルギーレベルを区別するよう適合されたデュアルエネルギー検出器であってもよく、または入射スペクトル内の３つ以上のエネルギーレベルを区別するよう適合された純粋にマルチスペクトル用の検出器であってもよい。
【００３３】
これらの原理を組み合わせてより多くのエネルギーバンドを区別してもよい。例えば、入射スペクトルの少なくとも一部にわたり分光的に可変な応答を示す複数の検出器を備える検出器システムを用いてもよく、検出器はさらに異なるエネルギーに合わせて校正されているものとする。このようなコンセプトの具体的な場合として、入射スペクトル内の２つを超えるエネルギーレベルを区別するために、異なるエネルギーに合わせて校正された複数のデュアルエネルギー検出器を用いてもよい。
【００３４】
さらに、またはあるいは、例えば、複数の検出器を順次用い、および／またはフィルターを用い、および／または入射放射線周波数を切り替えることにより、所望の幅を有する、得られた所定の入射放射線スペクトルを複数のエネルギーバンドに順次分解してもよい。
【００３５】
好適な場合において、発生強度データが、少なくとも３つのエネルギーバンド間で同時にスペクトル分解される、マルチスペクトルＸ線技術を採用する。複数のエネルギービンを利用することにより、特に複合陽子数のより高い次数を分解する際に、デュアルエネルギーシステムでは利用不可能な情報がもたらされる。上述のとおり、これは、異なるエネルギーに合わせて校正された複数のデュアルエネルギー検出器および／または入射スペクトル内の３つ以上のエネルギーレベルを区別するよう適合させた１つ以上のマルチスペクトル検出器を用いることにより実現してもよい。
【００３６】
純粋にマルチスペクトル用の検出器、例えばＣｄＴｅ型検出器を用いるか、または異なるエネルギーに校正された複数のデュアルエネルギー検出器を用いたマルチスペクトルＸ線技術により、従来のデュアルエネルギーシステムを超える多くの利益がもたらされる。デュアルエネルギーシステムでは、低エネルギー検出器において高エネルギーＸ線が検出される可能性がゼロではなく、その逆もまた然りであるため、２つのエネルギー領域が完全には分離していない。さらに、高・低エネルギービン間の遮断が厳密でないため、２つのエネルギー領域が重なってしまう。このようなシステムに用いられる検出器は、一般的に、相互作用当たりの相互作用率と電荷の積を記録する電流モードで通常動作するシンチレーション検出器である。こうしたシステムは光子計数機能をもたらさず、単に合計蓄積エネルギーを測定する。また、シンチレータは反応時間が非常に遅いため、画像にブレが生じ、残像効果によって空間分解能が損なわれる。
【００３７】
対照的に、ＣｄＴｅマルチスペクトル検出器は、エネルギーおよび個別の事象のタイミングを維持するパルスモードで動作する。したがって、このシステムは、基本的に検出器の分解能のみによって制限される、正確に測定可能な検出された各Ｘ線のエネルギーを、同時に測定することが可能である。このようなシステムは、すべてのエネルギーの測定に単一の検出器のみを用いるため、各エネルギービンは本来ビン間で重ならず、分離しているものである。
【００３８】
本発明の実施に適した検出器は、高エネルギー物理学用途に適応させた半導体材料の１つまたは複数の検出素子、例えば高エネルギー放射線、例えばＸ線またはガンマ線などの高エネルギー電磁放射線、または亜原子粒子放射線の検出器として作用しうる材料を含む。得られる装置は、このような材料からなる少なくとも１つの層を含むため、高エネルギー物理学用途に適合させた装置、例えば、Ｘ線またはガンマ線などの高エネルギー放射線、または亜原子粒子放射線のための検出器となる。本方法では、このような装置を使用する。
【００３９】
半導体装置は、使用する所期した放射線スペクトルの少なくとも実質的に一部分にわたり、分光的に可変の応答を示すよう適合させた検出器装置であることが好ましい。特に、目的の材料特性として、使用する放射線スペクトルの異なる部分に対し、目的の電気的、例えば光電的に可変の応答を本質的に示す半導体材料を用いる。
【００４０】
好適な実施形態において、半導体材料は、バルク結晶、例えばバルク単結晶（この文脈において、バルク結晶は厚さが少なくとも５００μｍ、好ましくは少なくとも１ｍｍであることを示す）として形成される。
【００４１】
好適な実施形態において、半導体材料はＩＩ−ＶＩ族半導体から選択してもよく、特に、テルル化カドミウム、テルル化カドミウム亜鉛（ＣＺＴ）、テルル化カドミウムマンガン（ＣＭＴ）、および例えば、不可避不純物を除けば、実質的に結晶Ｃｄ１−（ａ＋ｂ）ＭｎａＺｎｂＴｅ（ａ＋ｂ＜１かつ／あるいはｂは０でもよい）からなるこれらの合金から選択してもよい。また、複合装置は、追加機能のための他の材料の他の検出器素子を有してもよい。
【００４２】
本発明は第１の態様において、物体から放射線の相互作用データ、特に、物体からＸ線の相互作用データを得る方法を含み、この方法では、１つまたは複数の次数の複合陽子数および／または有効質量厚さおよび／または密度、例えば上述の複合陽子数セットを分解し、これらのデータを物体の含有物質を識別する目的に使用可能にする。
【００４３】
測定データは、既知の物質のライブラリデータと比較してもよい。例えば、１つまたは複数の次数の複合陽子数および／または有効質量厚さおよび／または密度、例えば複合陽子数セットを、様々な既知の材料の１つまたは複数の次数の複合陽子数および／または有効質量厚さおよび／または密度、例えば複合陽子数セットのデータセットのデータベースとの比較に使用可能にする。好適な実施形態の方法は、測定された複合陽子数セットをこうした既知の対応データのライブラリデータベースと比較する工程を含む。
【００４４】
好適な場合において、例えば、この方法を、検査対象中の特定の標的物質、例えば、安全に対する脅威、関税法規の違反等を示しうる物質の存在の検知、および／またはかかる物質の分類または識別を容易にするために適用しうる。
【００４５】
このような場合、このようなデータ、例えば様々なこうした脅威となる物質の少なくとも複合陽子数セットを含むライブラリデータベースを用意し、比較工程において、検査中の物体について測定および導出されたデータ、例えば複合陽子数セットを、このようなデータベースと比較する。
【００４６】
本発明によれば、検査対象から生じた放射線は、線源のスペクトルにわたる複数のエネルギーバンドのセットの間で少なくとも分光的に処理される。本発明は、例えば、空間分解能、深さ分解能を目的とした、または画像化情報を生成するための、または他の所望の目的のためのさらなるデータの処理および細分化を排除しない。
【００４７】
この好適な場合において、検査対象から生じる放射線の強度データを検出器システムで収集する工程は、透過強度データを収集する工程を少なくとも含み、例えば透過強度データのみを収集する工程を含み、数値的処理工程は、そのデータから、透過強度の減衰に関する減衰係数を特定する工程を含む。
【００４８】
本発明は、内容物質の容器を備える物体のスキャンに関して特に有用な用途を見いだす。ここで、このような内容物質としては、例えば、混合物、溶液、乳剤、もしくはゲル、ペースト、クリーム、微粉末等の流動性組成物等の懸濁液等を含む、液体などの流体組成物、またはエアロゾルなどのような、元来、単独の一般的には均一な組成を有するものが予期される。ただし、本発明はこのような液体用途に限定されず、本発明の多くの一般原則は、固体および／または液体内容物を含む不均質な物体に等しく適用可能であることを理解されたい。
【００４９】
本発明による第２の態様において、物体の放射線検査で検出された放射線データの処理方法は、本発明の第１の態様の数値的処理工程を含む。
【００５０】
すなわち、複数のエネルギーバンドに分解された、物体の放射線検査によるデータを処理する方法は、
材料減衰係数を、前記複数のエネルギーバンドのセットにわたるエネルギー依存係数のセットを有する複数のエネルギー依存の多項式のセットとみなす工程と、
前記各エネルギーバンドにおいて測定される減衰係数を特定する工程と、
１つまたは複数の次数の複合陽子数および／または有効質量厚さおよび／または密度、例えば、複合原子番号の複数の次数のべき乗、好ましくは複数のより高次のべき乗を含む複合陽子数セットを、前記減衰係数から計算する工程とを含む。
【００５１】
好ましくは、この方法は、１つまたは複数の次数の複合陽子数および／または有効質量厚さおよび／または密度のうち少なくとも２つ、例えば複合陽子数セットとしての少なくとも２つの次数の複合陽子数を生成する工程を含む。
【００５２】
この方法は、複数のエネルギーバンドのセット間、特に好ましくは少なくとも３つのエネルギーバンド間でスペクトル分解された放射線検出データに対して行われ、初期工程においては、上述した数値的処理を行うために、このようなスペクトル分解されたデータを提供する工程を含み、例えば収集された強度データを、複数のエネルギーバンドのセット間、特に好ましくは少なくとも３つのエネルギーバンドのセット間でスペクトル分解する初期工程を含む。
【００５３】
この方法は、１つまたは複数の次数の複合陽子数および／または有効質量厚さおよび／または密度、例えば複合陽子数セットを、検査中の物体の含有物質を識別する目的に使用可能にする工程とをさらに含むと好都合である。
【００５４】
したがって、第２の態様の方法は、少なくとも第１の態様の方法における数値的処理工程を含み、さらに好ましい特徴および実施形態も類推される。
【００５５】
機械可読の命令またはコードの適切なセットによって、本発明の方法の各数値的工程を実施することが可能であることが、概ね理解されるだろう。これらの機械可読の命令を、汎用コンピュータ、特殊目的用コンピュータ、または他のプログラム可能なデータ処理装置に格納することにより、特定の機能を実施するための手段を製造してもよい。
【００５６】
これらの機械可読の命令は、コンピュータで読み取り可能な媒体に保存されてもよく、当該媒体は、コンピュータで読み取り可能な媒体に保存された命令が本発明の方法の工程の一部またはすべてを実施する指示手段を含む製品を作成するように、コンピュータまたは他のプログラム可能なデータ処理装置に対し、特定の方法で機能するように指示することができる。コンピュータプログラム命令を、コンピュータまたは他のプログラム可能な装置に格納し、コンピュータ実行プロセスを実施することができる機械を製造してもよい。そのようにすることで、その命令は、本発明の方法における工程の一部またはすべてを実施するための工程を与えるコンピュータまたは他のプログラム可能な装置上で、実行される。ある工程は、特殊目的用ハードウェアおよび／またはコンピュータ命令の任意の適切な組み合わせによって、実施することが可能であり、また、そのような組み合わせを組み込んだ工程を実行するための装置手段により実施することが可能であることが、理解されるであろう。
【００５７】
本発明による第３の態様においては、少なくとも１つのコンピュータプログラムが与えられる。ここで、当該コンピュータプログラムは、適当なコンピュータに格納されるとき、本発明の第１の態様の方法における数値的処理工程の１つもしくは複数、例えばすべてを、または例えば本発明の第２の態様における方法の数値的処理工程の１つもしくは複数、例えばすべてをコンピュータに行わせるプログラム命令を有する。
【００５８】
この、少なくとも１つのコンピュータプログラムは、コンピュータ可読記録媒体または読み取り専用メモリ上で実行され、コンピュータのメモリに保存され、例えば分散型ネットワークを介してコンピュータからアクセス可能なリモートメモリに保存され、または適当な搬送波信号で伝送されてもよいが、これに限定されない。
【００５９】
単なる例示として、図面の図１のみを参照して、本発明による実行可能な数値解析方法の実施形態を以下に説明する。図１は、優位な相互作用モードをエネルギーおよび原子番号の関数として表した模式図である。
【００６０】
複合陽子数セットから数値的に表し、次数ｎの複合陽子数を
0005981545.tif 000006
として定義する。好適な複合陽子数セットは少なくともｎ＝２、ｎ＝３を含む。
【００６１】
物質の識別に用いた、この方法の単純な一実施形態は、３つのエネルギービンを用いるものであり、すべての元素の質量減衰係数に対し以下の近似を用いる。
【数５】
0005981545.tif 000007
複合物質について、質量減衰係数は、その質量分率ｗｉにより重み付けされた個々の減衰係数（αｉ）の合計により与えられるため、以下のとおりとなる。
【数６】
0005981545.tif 000008
したがって、以下の式が成り立つ。
【数７】
0005981545.tif 000009
式中、ｗｊは、検査する物質内の元素ｊの質量分率である。
【００６２】
式６を再構成すると、以下のとおりとなる。
【数８】
0005981545.tif 000010
したがって、以下の式が成り立つ。
【数９】
0005981545.tif 000011
【００６３】
ａ（Ｅ）、ｃ（Ｅ）およびｄ（Ｅ）の成分は、実験またはＧｅａｎｔ４でのシミュレーションによって経験的に求めることができる。これは、既知の原子質量および質量厚さのある範囲の校正項目において、ＩおよびＩ０の測定を実行することにより行われる。その結果、エネルギービンにわたる係数ａ（Ｅ）、ｃ（Ｅ）およびｄ（Ｅ）に関して、式８を解くことができる。
【００６４】
0005981545.tif 000012
【数１０】
0005981545.tif 000013
【数１１】
0005981545.tif 000014
これにより、質量厚さｘとともに本実施形態の２次および３次の複合陽子数セットを得ることができる。行列Ｍは、エネルギービンの選択のみに依存する。Ｍが求まると、式４の当初の仮定が有効である限り、任意の物質に用いることができる。
【００６５】
Ｍは、例えばＮＩＳＴデータベースから取得することが可能である。しかし、実際には、自身で行った既知の組成物の物質の測定に基づいているほうがよい。こうして、本測定システムの偏りが（少なくとも部分的に）行列に吸収されることが予想され、これを不明な物質に対する測定に適用する場合、測定の偏りが減少するであろう。Ｍの測定を校正と呼ぶことにする。校正は、純元素を用いる場合、特に単純である。例えば、３つの異なる元素の原子番号ＺＡ、ＺＢ、およびＺＣならびに質量厚さｘＡ、ｘＢ、およびｘＣのサンプルのエネルギービン１における吸収を測定する。結果は同様に以下の３つの連立方程式となる。
【数１２】
0005981545.tif 000015
同様に、測定されたＲ／ｘの値のベクトルにＸ−１を乗じることにより、（ａ1，ｃ1，ｄ1を求める。ここで、
【数１３】
0005981545.tif 000016
である。そして、他の２つのエネルギービンについても同じことを繰り返して行列Ｍの全体を得る。
校正用元素は、解析でよく見られる原子番号の範囲を網羅する元素、例えば炭素、アルミニウム、および銅であればよい。
【００６６】
２次および３次の複合陽子数が、どのように化合物中では異なり、一方で元素中では等しいかを示す単純な例として、原子番号２の要素および原子番号５の第２の要素を５０：５０の質量で組み合わせた２つの要素からなる化合物を考える。よって、２次の複合陽子数は以下のとおりとなる。
【数１４】
0005981545.tif 000017
さらに、３次の複合陽子数は以下のとおりとなる。
【数１５】
0005981545.tif 000018
ただし、原子番号５の単一の元素については、２次および３次の複合陽子数が同一となる（何次の複合陽子数においても同様である）。
【数１６】
0005981545.tif 000019
【００６７】
各物質は異なる複合陽子数のセットを有し、計算可能な複合陽子数の次元が高いほど物質についての情報をより多く収集でき、物質をよりよく識別することができる。さらに、次数は、本発明と同様の基本原則および十分な数の放射線データのエネルギービンを用いて、容易に導出される。
【００６８】
0005981545.tif 000020
【００６９】
0005981545.tif 000021
【００７０】
【表１】
0005981545.tif 000022
【図１】
0005981545.tif 000025